(57)【要約】【課題】  受信側で復調に遅延が生じにくい送信装置及び送信方法、並びに復調に遅延が生じにくい受信装置及び受信方法を提供すること。【解決手段】  実施形態による送信装置は、第１変調信号と第２変調信号とを加算して送信する。第１変調信号の第１シンボル数は、第２変調信号の第２シンボル数以下である。第１シンボル数は、第１変調信号が第１インタリーブ処理されている場合は、第１インタリーブ処理の単位を表す第１ビット数と第１変調信号の誤り訂正符号の符号長を表す第２ビット数のいずれか大きいビット数を、２を底とする第１変調信号の第１変調多値数の対数で割った値であり、第１変調信号がインタリーブ処理されていない場合は、第２ビット数を、２を底とする第１変調信号の第１変調多値数の対数で割った値である。第２シンボル数も同様な値である。【選択図】図４
2020202457.tif 000002
【特許請求の範囲】
【請求項１】
第１変調信号と第２変調信号とを加算して第３変調信号を求める加算部と、
前記第３変調信号を送信する送信部を具備する送信装置であって、
前記第１変調信号の第１シンボル数は、前記第２変調信号の第２シンボル数以下であり、
前記第１シンボル数は、
前記第１変調信号が第１インタリーブ処理されている場合は、前記第１インタリーブ処理の単位を表す第１ビット数と前記第１変調信号の誤り訂正符号の符号長を表す第２ビット数のいずれか大きいビット数を、２を底とする前記第１変調信号の第１変調多値数の対数で割った値であり、
前記第１変調信号がインタリーブ処理されていない場合は、前記第２ビット数を、２を底とする前記第１変調信号の第１変調多値数の対数で割った値であり、
前記第２シンボル数は、
前記第２変調信号が第２インタリーブ処理されている場合は、前記第２インタリーブ処理の単位を表す第３ビット数と、前記第２変調信号の誤り訂正符号の符号長を表す第４ビット数のいずれか大きいビット数を、２を底とする前記第２変調信号の第２変調多値数の対数で割った値であり、
前記第２変調信号がインタリーブ処理されていない場合は、前記第４ビット数を、２を底とする前記第２変調多値数の対数で割った値である送信装置。
【請求項２】
前記第２シンボル数は、前記第１シンボル数の２以上の自然数倍である、請求項１記載の送信装置。
【請求項３】
前記第２シンボル数は、前記第１シンボル数と等しい、請求項１記載の送信装置。
【請求項４】
前記第２シンボル数は、前記第１シンボル数より大きい、請求項１記載の送信装置。
【請求項５】
前記第１変調信号の電力を前記第２変調信号の電力より大きくする調整部をさらに具備する請求項１乃至請求項４のいずれか一項記載の送信装置。
【請求項６】
前記第１変調信号は地上デジタルテレビジョン放送方式に準拠する信号を含み、
前記第２変調信号は４Ｋ８Ｋ方式に準拠する信号を含む請求項１乃至請求項５のいずれか一項記載の送信装置。
【請求項７】
前記第１変調信号は畳み込み符号化方式、ＢＣＨ符号化方式又はＢＣＣ符号化方式による誤り訂正符号化処理が施されている信号を含む請求項１乃至請求項６のいずれか一項記載の送信装置。
【請求項８】
第１変調信号と第２変調信号とを加算して求められた第３変調信号を送信する送信方法であって、
前記第１変調信号の第１シンボル数は、前記第２変調信号の第２シンボル数以下であり、
前記第１シンボル数は、
前記第１変調信号が第１インタリーブ処理されている場合は、前記第１インタリーブ処理の単位を表す第１ビット数と前記第１変調信号の誤り訂正符号の符号長を表す第２ビット数のいずれか大きいビット数を、２を底とする前記第１変調信号の第１変調多値数の対数で割った値であり、
前記第１変調信号がインタリーブ処理されていない場合は、前記第２ビット数を、２を底とする前記第１変調信号の第１変調多値数の対数で割った値であり、
前記第２シンボル数は、
前記第２変調信号が第２インタリーブ処理されている場合は、前記第２インタリーブ処理の単位を表す第３ビット数と、前記第２変調信号の誤り訂正符号の符号長を表す第４ビット数のいずれか大きいビット数を、２を底とする前記第２変調信号の第２変調多値数の対数で割った値であり、
前記第２変調信号がインタリーブ処理されていない場合は、前記第４ビット数を、２を底とする前記第２変調多値数の対数で割った値である送信方法。
【請求項９】
第１変調信号と第２変調信号の合成信号を受信し、前記合成信号から前記第１変調信号を復調して第１信号を生成する第１復調部と、
前記第１信号を変調して第１再変調信号を生成する変調部と、
前記合成信号から前記第１再変調信号を減算する減算部と、
前記減算部の減算結果を復調する第２復調部を具備する受信装置であって、
前記第１変調信号の第１シンボル数は、前記第２変調信号の第２シンボル数以下であり、
前記第１シンボル数は、
前記第１変調信号が第１インタリーブ処理されている場合は、前記第１インタリーブ処理の単位を表す第１ビット数と前記第１変調信号の誤り訂正符号の符号長を表す第２ビット数のいずれか大きいビット数を、２を底とする前記第１変調信号の第１変調多値数の対数で割った値であり、
前記第１変調信号がインタリーブ処理されていない場合は、前記第２ビット数を、２を底とする前記第１変調信号の第１変調多値数の対数で割った値であり、
前記第２シンボル数は、
前記第２変調信号が第２インタリーブ処理されている場合は、前記第２インタリーブ処理の単位を表す第３ビット数と、前記第２変調信号の誤り訂正符号の符号長を表す第４ビット数のいずれか大きいビット数を、２を底とする前記第２変調信号の第２変調多値数の対数で割った値であり、
前記第２変調信号がインタリーブ処理されていない場合は、前記第４ビット数を、２を底とする前記第２変調多値数の対数で割った値である受信装置。
【請求項１０】
前記第２シンボル数は、前記第１シンボル数の自然数倍である、請求項９記載の受信装置。
【請求項１１】
前記第２シンボル数は、前記第１シンボル数と等しい、請求項９記載の受信装置。
【請求項１２】
前記第２シンボル数は、前記第１シンボル数より大きい、請求項９記載の受信装置。
【請求項１３】
前記第１変調信号の電力は前記第２変調信号の電力より大きい、請求項９乃至請求項１２のいずれか一項記載の受信装置。
【請求項１４】
前記第１変調信号は地上デジタルテレビジョン放送方式に準拠する信号を含み、
前記第２変調信号は４Ｋ８Ｋ方式に準拠する信号を含む請求項９乃至請求項１３のいずれか一項記載の受信装置。
【請求項１５】
前記第１復調部は前記第１変調信号についての対数尤度比を第１量子化ビット数で算出し、
前記第２復調部は前記第２変調信号についての対数尤度比を第２量子化ビット数で算出し、
前記第１量子化ビット数は前記第２量子化ビット数より小さいものである請求項９乃至請求項１４のいずれか一項記載の受信装置。
【請求項１６】
前記第１復調部は前記第１変調信号についての対数尤度比を、前記第１復調部に要求されるＳ／Ｎ比から決まる量子化ビット数より小さい量子化ビット数で算出する請求項９乃至請求項１５のいずれか一項記載の受信装置。
【請求項１７】
前記第１変調信号には繰り返し復号処理を前提とする符号化が施されており、復号処理の繰り返し回数の目標回数が設定されている場合、前記第１復調部は、前記目標回数より少ない回数だけ復号処理を繰り返す請求項９乃至請求項１６のいずれか一項記載の受信装置。
【請求項１８】
前記第１復調部は、前記第１変調信号についての対数尤度比を第１量子化ビット数で算出し、
前記第２復調部が前記第２変調信号を復調できない場合、
前記第１復調部は、前記第１変調信号についての前記対数尤度比を前記第１量子化ビット数より大きい量子化ビット数で算出する、又は
前記第１変調信号には繰り返し復号処理を前提とする符号化が施されており、復号処理の繰り返し回数の目標回数が設定されている場合、前記第１復調部は、前記目標回数より多い回数だけ復号処理を繰り返す請求項９乃至請求項１７のいずれか一項記載の受信装置。
【請求項１９】
前記第２復調部が前記第２変調信号を復調できない場合、前記第２復調部の動作を停止させる停止部をさらに具備する請求項９乃至請求項１７のいずれか一項記載の受信装置。
【請求項２０】
第１変調信号と第２変調信号の合成信号を受信し、
前記合成信号から前記第１変調信号を復調して第１信号を生成し、
前記第１信号を変調して第１再変調信号を生成し、
前記合成信号から前記第１再変調信号を減算し、
減算結果を復調する受信方法であって、
前記第１変調信号の第１シンボル数は、前記第２変調信号の第２シンボル数以下であり、
前記第１シンボル数は、
前記第１変調信号が第１インタリーブ処理されている場合は、前記第１インタリーブ処理の単位を表す第１ビット数と前記第１変調信号の誤り訂正符号の符号長を表す第２ビット数のいずれか大きいビット数を、２を底とする前記第１変調信号の第１変調多値数の対数で割った値であり、
前記第１変調信号がインタリーブ処理されていない場合は、前記第２ビット数を、２を底とする前記第１変調信号の第１変調多値数の対数で割った値であり、
前記第２シンボル数は、
前記第２変調信号が第２インタリーブ処理されている場合は、前記第２インタリーブ処理の単位を表す第３ビット数と、前記第２変調信号の誤り訂正符号の符号長を表す第４ビット数のいずれか大きいビット数を、２を底とする前記第２変調信号の第２変調多値数の対数で割った値であり、
前記第２変調信号がインタリーブ処理されていない場合は、前記第４ビット数を、２を底とする前記第２変調多値数の対数で割った値である受信方法。
【発明の詳細な説明】
【技術分野】
【０００１】
本発明の実施形態は、複数の異なる信号を足し合わせてなる合成信号を送信する送信装置及び送信方法、並びに上記合成信号を受信する受信装置及び受信方法に関する。
【背景技術】
【０００２】
このような合成信号、例えば第１変調信号と第２変調信号の合成信号を受信する受信装置においては、第１変調信号が最初に復調され、第１信号が出力される。その後、第１信号が再変調され、合成信号から再変調結果が減算され第２変調信号が得られ、第２変調信号が復調され、第２信号が出力される。
【先行技術文献】
【非特許文献】
【０００３】
【非特許文献１】Liang Zhang et al, “Layered-Division-Multiplexing: Theory and Practice”, IEEE Transactions on Broadcasting, Volume. 62, Issue 1, March 2016
【発明の概要】
【発明が解決しようとする課題】
【０００４】
受信装置において、第１変調信号の復調および再変調が終了するまでは、第２変調信号の復調は実施できない。このため、第２変調信号の復調には遅延が生じる。
【０００５】
本発明の目的は、受信側で復調に遅延が生じにくい送信装置及び送信方法、並びに復調に遅延が生じにくい受信装置及び受信方法を提供することである。
【課題を解決するための手段】
【０００６】
実施形態による送信装置は、第１変調信号と第２変調信号とを加算して第３変調信号を求める加算部と、前記第３変調信号を送信する送信部を具備する。前記第１変調信号の第１シンボル数は、前記第２変調信号の第２シンボル数以下である。前記第１シンボル数は、前記第１変調信号が第１インタリーブ処理されている場合は、前記第１インタリーブ処理の単位を表す第１ビット数と前記第１変調信号の誤り訂正符号の符号長を表す第２ビット数のいずれか大きいビット数を、２を底とする前記第１変調信号の第１変調多値数の対数で割った値であり、前記第１変調信号がインタリーブ処理されていない場合は、前記第２ビット数を、２を底とする前記第１変調信号の第１変調多値数の対数で割った値である。前記第２シンボル数は、前記第２変調信号が第２インタリーブ処理されている場合は、前記第２インタリーブ処理の単位を表す第３ビット数と、前記第２変調信号の誤り訂正符号の符号長を表す第４ビット数のいずれか大きいビット数を、２を底とする前記第２変調信号の第２変調多値数の対数で割った値であり、前記第２変調信号がインタリーブ処理されていない場合は、前記第４ビット数を、２を底とする前記第２変調多値数の対数で割った値である。
【図面の簡単な説明】
【０００７】
【図１】第１実施形態による送信装置の構成の一例を示すブロック図。
【図２】第１実施形態による受信装置の構成の一例を示すブロック図。
【図３】第１実施形態により上位階層のシンボル数と下位階層のシンボル数を第１の状態に設定した場合の受信装置に必要なメモリの容量の一例を示す図。
【図４】上位階層のシンボル数と下位階層のシンボル数を第２の状態に設定した場合の受信装置に必要なメモリの容量の一例を示す図。
【図５】上位階層のシンボル数と下位階層のシンボル数を第３の状態に設定した場合の受信装置に必要なメモリの容量の一例を示す図。
【図６】上位階層のシンボル数と下位階層のシンボル数を第４の状態に設定した場合の受信装置に必要なメモリの容量の一例を示す図。
【発明を実施するための形態】
【０００８】
以下、図面を参照して、実施形態を説明する。以下の説明は、実施形態の技術的思想を具体化するための装置や方法を例示するものであって、実施形態の技術的思想は、以下に説明する構成要素の構造、形状、配置、材質等に限定されるものではない。当業者が容易に想到し得る変形は、当然に開示の範囲に含まれる。説明をより明確にするため、図面において、各要素のサイズ、厚み、平面寸法又は形状等を実際の実施態様に対して変更して模式的に表す場合もある。複数の図面において、互いの寸法の関係や比率が異なる要素が含まれることもある。複数の図面において、対応する要素には同じ参照数字を付して重複する説明を省略する場合もある。いくつかの要素に複数の呼称を付す場合があるが、これら呼称の例はあくまで例示であり、これらの要素に他の呼称を付すことを否定するものではない。また、複数の呼称が付されていない要素についても、他の呼称を付すことを否定するものではない。なお、以下の説明において、「接続」は直接接続のみならず、他の要素を介して接続されることも意味する。
【０００９】
実施形態の送信装置は、複数の異なる信号を足し合わせて得られた合成信号を送信する。送信装置の一例はテレビジョン放送の送信装置を含む。サービス統合地上デジタル放送（Integrated Services Digital Broadcasting-Terrestrial：ＩＳＤＢ−Ｔ）と称される現行の地上デジタルテレビジョン放送の次世代規格の検討において、周波数利用効率の向上または現行方式との共存を可能とするため、階層分割多重（Layered Division Multiplexing：ＬＤＭ）方式の利用が提案されている。このＬＤＭ方式では、上位階層信号と下位階層信号には電力差がつけられ、同一または異なる方式により変調された２つの異なる信号が多重され同時刻に同帯域で送信される。上位階層信号の電力は下位階層信号の電力より大きい。例えば、送信装置がテレビジョン放送に適用される場合、上位階層信号の例はＩＳＤＢ−Ｔ方式に準拠する信号であってもよく、下位階層信号の例はＩＳＤＢ−Ｔを高度化させた地上放送高度化方式（例えば、４Ｋ８Ｋ方式と称される）に準拠する信号であってもよい。後者はスーパーハイビジョン（ＳＨＶ）信号と称されることもある。また、ＩＳＤＢ−Ｔ方式に準拠する信号は伝送せずに、４Ｋ８Ｋ方式に準拠する信号を上位階層信号と下位階層信号に分けて伝送してもよい。なお、ＬＤＭ方式では、２つの信号の合成に限らず、３つ以上の信号が合成されてもよい。
【００１０】
ＬＤＭ方式により多重された合成信号を受信する受信装置は、逐次除去復号（Successive Interference Cancellation：ＳＩＣ）方式を採用することがある。ＳＩＣ方式を用いる受信装置では、多重された信号のうち最も高い電力を持つ信号（上位階層信号）が最初に復調され、上位階層ビット列が確定される。その後、上位階層ビット列の再変調が行われ、合成受信信号から再変調結果が減算され、送信前の下位階層信号が得られる。この下位階層信号が復調され、下位階層ビット列が確定される。
【００１１】
このようにＳＩＣ方式を用いる受信装置では、上位階層ビット列の再変調が終了するまでは、下位階層信号の復調処理は開始できない。このため、下位階層信号の復調処理には遅延が生じる。この遅延時間中、合成受信信号を保持するための第１のメモリを受信装置に備える必要がある。遅延時間が長くなると、第１のメモリに要求される容量が大容量となる。
【００１２】
さらに、下位階層信号の復調の後に下位階層ビット列のデインタリーブ処理を実施する場合、デインタリーブ処理の処理単位であるビット数の復調信号が得られるまでは、デインタリーブ処理は開始できない。このため、下位階層ビット列のデインタリーブ処理にも遅延が生じる。この遅延時間中、下位階層信号の復調信号を保持するための第２のメモリを受信装置に備える必要がある。遅延時間が長くなると、第２のメモリに要求される容量も大容量となる。
【００１３】
これらの遅延時間を短くすることができる実施形態を説明する。図１は実施形態による送信装置の構成の一例を示すブロック図を示す。図２は第１実施形態による受信装置の構成の一例を示すブロック図を示す。
【００１４】
［送信装置］
図１に示す送信装置は、ＬＤＭ方式を用いて、複数の、例えば上位階層ビット列と下位階層ビット列の合成信号を送信する。上位階層ビット列は符号化部１２に入力される。符号化部１２は、入力ビット列を誤り訂正符号化処理して、符号化ビット列を出力する。符号化部１２が生成する誤り訂正符号は、ブロック符号でもよいし、畳み込み符号でもよい。符号化部１２が生成する誤り訂正符号の符号長をＮＵＬＦＥＣビットとする。符号長は誤り訂正符号の符号化又は復号を行う処理単位（ビット数）である。
【００１５】
なお、符号化部１２の符号化方式として、上位階層信号の復調処理が簡便となる、すなわち上位階層信号の復調に必要な時間が短くなるような符号化方式を選んでもよい。このような方式の例は、畳み込み符号化方式、ＢＣＨ符号化方式、ＢＣＣ符号化方式、ＬＤＰＣ（Low Density Parity Check）符号化方式を含む。符号化部１２がこのような符号化方式を用いれば、受信装置において下位階層信号の復調に遅延が生じにくい。
【００１６】
符号化部１２から出力された符号化ビット列はインタリーブ部１４に供給される。インタリーブ部１４は、入力された符号化ビット列に対して、ある纏まったビット数（インタリーブ長とも称される）を処理単位として、ビット配列の入れ替え（インタリーブ処理）を行う。インタリーブ部１４のインタリーブ長をＮＵＬＩＮＴビットとする。インタリーブ長はインタリーブ／デインタリーブを行う処理単位（ビット数）である。
【００１７】
インタリーブ部１４から出力されたインタリーブ処理後の符号化ビット列は変調部１６に入力される。変調部１６は入力された符号化ビット列を変調する。変調部１６は、多値変調方式、例えばＱＰＳＫ方式の変調を行い、１シンボル当たり２ビットのデータを送信できるように符号化ビット列をシンボル列に変調（マッピング）する。変調部１６の多値変調方式における変調多値数をＭＵＬとする。変調部１６から出力される上位階層の変調信号（シンボル列）は信号合成部１８の第１端子に供給される。シンボルとは、変調信号を無線送信する単位であり、２を底とする変調多値数の対数（＝Ｌｏｇ２ＭＵＬ）（ビット数）を通信するための変調信号の単位である。
【００１８】
下位階層ビット列は符号化部２２に入力される。下位階層ビット列は４Ｋ８Ｋ放送方式に準拠する信号であってもよい。符号化部２２は、入力ビット列を誤り訂正符号化処理して、符号化ビット列を出力する。符号化部１２が生成する誤り訂正符号の符号長をＮＬＬＦＥＣビットとする。
【００１９】
符号化部２２の符号化方式は、符号化部１２の符号化方式と異なる方式でも、同じ方式でもよい。同じ方式の場合、誤り訂正能力や符号長が異なっていてもよい。
【００２０】
符号化部２２から出力された符号化ビット列はインタリーブ部２４に供給される。インタリーブ部２４は入力された符号化ビット列に対して、ある纏まったビット数（インタリーブ長とも称される）を処理単位として、ビット配列の入れ替え（インタリーブ処理）を実施する。インタリーブ部２４のインタリーブ長をＮＬＬＩＮＴビットとする。上位階層のインタリーブ長ＮＵＬＩＮＴと下位階層のインタリーブ長ＮＬＬＩＮＴは同じでもよいし、異なっていてもよい。
【００２１】
インタリーブ部２４から出力されたインタリーブ処理後の符号化ビット列は変調部２６に入力される。変調部２６と変調部１６の変調方式は同じでも異なっていてもよい。さらに、変調部２６と変調部１６の変調方式が同じである場合、変調部２６と変調部１６の変調多値数は同じでも異なっていてもよい。例えば変調部１６はＱＰＳＫ方式の変調を行い、変調部２６は１６ＱＡＭ方式又は変則１６ＱＡＭ方式の変調を行い、１シンボル当たり４ビットのデータを送信できるように符号化ビット列をシンボル列に変調（マッピング）してもよい。あるいは、変調部１６はＱＰＳＫ方式の変調を行い、変調部２６は変則１６ＱＡＭ方式の変調を行ってもよい。変調部２６の多値変調方式における変調多値数をＭＬＬとする。変調部２６から出力される変調信号（シンボル列）は電力調整部２８を介して信号合成部１８の第２端子に供給される。
【００２２】
電力調整部２８は、上位階層の変調信号のパワーが下位階層の変調信号のパワーより大きくなるように、上位階層の変調信号のパワーに対する下位階層の変調信号のパワーを調整する。なお、上位階層の変調信号と下位階層の変調信号のそれぞれに電力調整器を設けてもよい。
【００２３】
信号合成部１８は、上位階層の変調信号と下位階層の変調信号をベクトル加算して、合成信号を送信部２０に供給する。送信部２０は図示しない送信アンテナ等を介して合成送信信号を送信する。
【００２４】
［受信装置］
図２に示す受信装置は、ＳＩＣ方式を用いて復調処理を行う。図示しない受信アンテナ等を介して受信された合成受信信号が電力調整部３２を介して復調部３４に供給されるとともに、電力調整部３２、スイッチ６４を介してメモリ４０に供給される。スイッチ６４は常時は導通しており、後述するコントローラ６２からの制御信号に応じて非導通とされる。
【００２５】
復調部３４は、合成受信信号のうち下位階層の信号成分を雑音とみなし、送信装置の変調部１６の変調処理に対応する多値（ＭＵＬ値）の復調処理を行い、上位階層の受信信号のみを復調する。復調部３４は、上位階層ビット列の対数尤度比（ＬＬＲ：Log-Likelihood Ratio）を第１量子化ビットで算出する。第１量子化ビット数はコントローラ６２により設定される。量子化ビット数はＳ／Ｎ比に関係して決まる。そのため、上階階層の信号処理に要求されるＳ／Ｎ比に応じた量子化ビット数が決まっている。コントローラ６２は第１量子化ビット数をこのＳ／Ｎ比に応じた量子化ビット数に設定する。あるいは、コントローラ６２は第１量子化ビット数をこのＳ／Ｎ比に応じた量子化ビット数以下のビット数に設定してもよい。
【００２６】
第１量子化ビット数をこのＳ／Ｎ比に応じた量子化ビット数以下のビット数に設定する場合を説明する。上位階層の信号がＩＳＤＢ−Ｔ方式に準拠する信号であり、下位階層の信号が４Ｋ８Ｋ方式に準拠する信号である場合、上位階層の信号に要求されるＳ／Ｎ比は下位階層の信号に要求されるＳ／Ｎ比より低い（悪い）ことがある。言い換えると、下位階層の復調処理は、上位階層の復調処理に要求されるＳ／Ｎ比よりも十分高い（良い）Ｓ／Ｎ比で行われることがある。この場合、上位階層の復調処理の精度をある程度低くしても、上位階層の復調は可能である。そのため、上位階層の復調部３４の第１量子化ビット数をＳ／Ｎ比に応じた通常の量子化ビット数よりも少ない数に設定してもよい。
【００２７】
これにより、上位階層の復調処理に必要な時間や回路規模を小さくすることができる。上位階層の復調に係る時間が短くなると、上位階層の再変調が終了するまでの時間を短縮し、下位階層の復調処理の開始時期を早めることができる。
【００２８】
復調部３４から出力される上位階層ビット列のＬＬＲを表す復調信号がデインタリーブ部３６に供給される。デインタリーブ部３６は、復調信号に対して、送信装置のインタリーブ部１４のインタリーブ処理に対応するデインタリーブ処理を実施する。デインタリーブ部３６は、入力された復調信号に対して、ある纏まったビット数（デインタリーブ長とも称される）の処理単位で、ＬＬＲを示すビット配列の入れ替え（デインタリーブ）を実施する。受信装置のデインタリーブ部３６のデインタリーブ長は送信装置のインタリーブ部１４のインタリーブ長（ＮＵＬＩＮＴビット）と同じである。以下の説明でインタリーブ長が使われる場合、インタリーブ長はデインタリーブ長も意味する。
【００２９】
デインタリーブ処理により、復調信号のビット配列は、送信装置のインタリーブ部１４に入力されるビット列、すなわち符号化部１２から出力される符号化ビット列の配列に戻る。デインタリーブ部３６の出力信号が復号部３８に供給される。復号部３８は、デインタリーブ部３６から出力された復調信号に対して、送信装置の符号化部１２の符号化処理に対応する誤り訂正復号処理（符号長＝ＮＵＬＦＥＣビット）を実行する。符号化部１２がＬＤＰＣ符号等の繰り返し復号を前提とする符号を採用している場合、復号部３８は、誤り訂正復号処理を第１繰り返し回数だけ実行する。第１繰り返し回数はコントローラ６２から設定される。この復号処理により、符号化部１２に入力される上位階層ビット列（推定ビット列）が復号部３８から出力される。
【００３０】
復号部３８の復号処理の繰り返し回数は、送信装置側の符号化部１２の符号化方式により目標回数が決まっている。コントローラ６２は第１繰り返し回数をこの目標回数に等しい回数に設定する。あるいは、コントローラ６２は第１繰り返し回数をこの目標回数以下の回数に設定してもよい。
【００３１】
第１繰り返し回数を目標回数以下に設定する場合を説明する。上位階層の信号がＩＳＤＢ−Ｔ方式に準拠する信号であり、下位階層の信号が４Ｋ８Ｋ方式に準拠する信号である場合、上位階層の信号に要求されるＳ／Ｎ比は下位階層の信号に要求されるＳ／Ｎ比より低い（悪い）ことがある。言い換えると、下位階層の復号処理は、上位階層の復号処理に要求されるＳ／Ｎ比よりも十分高い（良い）Ｓ／Ｎ比で行われることがある。この場合、上位階層の復号処理の精度をある程度低くしても、上位階層の復号は可能である。そのため、上位階層の復号部３８の第１繰り返し回数を目標回数以下の回数に設定してもよい。
【００３２】
これにより、上位階層の信号処理に必要な時間や回路規模を小さくすることができる。上位階層の復号に係る時間が短くなると、上位階層の再変調が終了するまでの時間を短縮し、下位階層の復調処理の開始時期を早めることができる。
【００３３】
下位階層ビット列を求めるために、合成受信信号から上位階層成分が信号減算部４２により減算される。このため、メモリ４０は、上位階層成分が得られるまで合成受信信号を保持する。図示しないが、メモリ４０は、記憶部と書き込み／読み出し制御部を備え、合成受信信号が供給されると、書き込み／読み出し制御部は合成受信信号を記憶部へ書き込む。メモリ４０から読み出された合成受信信号は信号減算部４２の第１端子に供給される。
【００３４】
一方、復号部３８から出力された上位階層ビット列はスイッチ６６を介して符号化部４４に供給され、符号化部４４で再び符号化される。スイッチ６６は常時は導通しており、コントローラ６２からの制御信号に応じて非導通とされる。
【００３５】
符号化部４４は、送信装置の符号化部１２と同じ符号化処理（符号長＝ＮＵＬＦＥＣビット）を行う。符号化部４４から出力された符号化ビット列は、インタリーブ部４６で再びインタリーブ処理される。
【００３６】
インタリーブ部４６は、送信装置のインタリーブ部１４と同じインタリーブ処理（インタリーブ長＝ＮＵＬＩＮＴ）を行う。このため、符号化部４４からインタリーブ長ＮＵＬＩＮＴの符号化ビット列が出力されるまでは、インタリーブ処理は開始できない。符号化部４４の符号長がインタリーブ部４６のインタリーブ長より長い（ＮＵＬＦＥＣ＞ＮＵＬＩＮＴ）場合、符号化部４４が符号化ビット列（符号長＝ＮＵＬＦＥＣ）を出力すると、インタリーブ部４６はインタリーブ処理を実施できる。しかし、符号長がインタリーブ長より短い（ＮＵＬＦＥＣ＜ＮＵＬＩＮＴ）場合、符号化部４４が符号化ビット列（符号長＝ＮＵＬＦＥＣ）を出力しても、符号化ビット列のビット数はインタリーブ長ＮＵＬＩＮＴに達していないので、インタリーブ部４６はインタリーブ処理を実施できない。符号化部４４が複数符号分の符号化ビット列を出力するまでは、インタリーブ部４６はインタリーブ処理を開始できない。
【００３７】
インタリーブ部４６から出力されるインタリーブ処理された符号化ビット列は、変調部４８で再び変調され、符号化ビット列がシンボル列にマッピングされる。変調部４８は、送信装置の変調部１６と同じ変調処理（変調多値数＝ＭＵＬ）を行う。このため、変調部４８は、送信装置の変調部１６から出力される上位階層の変調信号と等価の変調信号を出力する。この変調信号が信号減算部４２の第２端子に供給される。変調部４８は、変調信号を信号減算部４２に供給する際、メモリ４０に読出し制御信号を供給する。メモリ４０が読み出し制御信号を受信すると、書き込み／読み出し制御部は記憶部から合成受信信号を読み出す。メモリ４０から読み出された合成受信信号は信号減算部４２の第１端子に入力される。
【００３８】
信号減算部４２は、第２端子に入力された変調信号を第１端子に入力された合成受信信号から減算する。この結果、信号減算部４２の出力は、送信装置の電力調整部２８から出力される下位階層の変調シンボル列と等価のシンボル列となる。このシンボル列は、電力調整部５０を介して復調部５２に供給される。電力調整部５０は、上位階層の復調信号のパワーと下位階層の復調信号のパワーが等しくなるように、上位階層の復調信号のパワーに対する下位階層の受信信号のパワーを調整する。
【００３９】
復調部５２は、送信装置の変調部２６の変調処理に対応する復調処理（変調多値数＝ＭＬＬ）を行い、下位階層ビット列のＬＬＲを第２量子化ビットで算出し、復調信号としてＬＬＲを出力する。第２量子化ビット数はコントローラ６２により設定される。
【００４０】
第２量子化ビット数は、上位階層の復調部３４の第１量子化ビットと同じでもよいし、異なっていてもよい。第１量子化ビット数と第２量子化ビット数が異なる場合を説明する。上位階層の信号がＩＳＤＢ−Ｔ方式に準拠する信号であり、下位階層の信号が４Ｋ８Ｋ方式に準拠する信号である場合、上位階層の信号に要求されるＳ／Ｎ比は下位階層の信号に要求されるＳ／Ｎ比より低い（悪い）ことがある。言い換えると、下位階層の復調処理は、上位階層の復調処理に要求されるＳ／Ｎ比よりも十分高い（良い）Ｓ／Ｎ比で行われることがある。この場合、上位階層の復調処理の精度をある程度低くしても、上位階層の信号の復調は可能である。そのため、上位階層の復調部３４の第１量子化ビット数を下位階層の復調部５２の第２量子化ビット数より小さくしてもよい。
【００４１】
これにより、上位階層の復調処理に必要な時間や回路規模を小さくすることができる。上位階層の復調に係る時間が下位階層の復調に係る時間より短くなると、上位階層の再変調が終了するまでの時間を短縮し、下位階層の復調処理の開始時期を早めることができる。
【００４２】
復調部５２から出力される下位階層ビット列のＬＬＲがメモリ５４に書き込まれる。図示しないが、メモリ５４も記憶部と書き込み／読み出し制御部を備える。メモリ５４にＬＬＲが供給されると、書き込み／読み出し制御部はＬＬＲを記憶部へ書き込む。書き込み／読み出し制御部は下位階層のインタリーブ長ＮＬＬＩＮＴと等しいビット数のＬＬＲを記憶部へ書き込むと、記憶部からインタリーブ長ＮＬＬＩＮＴと等しいビット数のＬＬＲを読み出す。メモリ５４から読み出された復調信号はデインタリーブ部５６に供給される。
【００４３】
デインタリーブ部５６は、復調信号に対して、送信装置のインタリーブ部２４のインタリーブ処理に対応するデインタリーブ処理（デインタリーブ長＝ＮＬＬＩＮＴ）を実施する。デインタリーブ処理された復調信号のビット配列は、送信装置のインタリーブ部２４に入力されるビット列、すなわち符号化部２２から出力される下位階層ビット列の配列に戻る。
【００４４】
デインタリーブ部５６の出力が復号部５８に供給される。復号部５８は、送信装置の符号化部２２の符号化処理に対応する誤り訂正復号処理（符号長＝ＮＬＬＦＥＣ）を第２繰り返し回数だけ実行する。第２繰り返し回数はコントローラ６２により設定される。この復号処理により、符号化部２２に入力される下位階層ビット列（推定ビット列）が復号部５８から出力される。第２繰り返し回数は、送信装置側の符号化部２２の符号化方式により目標回数が決まっている。コントローラ６２は第２繰り返し回数をこの目標回数に等しい回数に設定する。
【００４５】
復号部５８は、デインタリーブ部５６から符号長ＮＬＬＦＥＣの符号化ビット列が出力されるまでは、復号を開始できない。復号部５８の符号長がデインタリーブ部５６のデインタリーブ長より短い（ＮＵＬＦＥＣ＜ＮＵＬＩＮＴ）場合、デインタリーブ部５６が復調信号（デインタリーブ長＝ＮＵＬＩＮＴ）を出力すると、復号部５８は復号処理を実施できる。しかし、復号部５８の符号長がデインタリーブ部５６のデインタリーブ長より長い（ＮＵＬＦＥＣ＞ＮＵＬＩＮＴ）場合、デインタリーブ部５６が復調信号（デインタリーブ長＝ＮＵＬＩＮＴ）を出力しても、復調信号のビット数は符号長ＮＵＬＦＥＣに達していないので、復号部５８は復号処理を実施できない。デインタリーブ部５６が複数のデインタリーブ長に対応する復調信号を出力するまでは、復号部５８は復号処理を開始できない。
【００４６】
なお、インタリーブ処理とデインタリーブ処理は必須ではなく、これらが省略される装置もあり得る。すなわち、送信装置において、上位階層の符号化部１２の出力がインタリーブされることなく変調部１６に供給され、下位階層の符号化部２２の出力がインタリーブされることなく変調部２６に供給されてもよい。この場合、受信装置において、復調部３４の出力がデインタリーブされることなく復号部３８に供給され、符号化部４４の出力がインタリーブされることなく変調部４８に供給され、メモリ５４から読み出された信号がデインタリーブされることなく復号部５８に供給される。
【００４７】
また、インタリーブ処理／デインタリーブ処理はビットインタリーブ処理／ビットデインタリーブ処理とシンボルインタリーブ処理／シンボルデインタリーブ処理を含む。上述の実施形態では、ビットインタリーブ処理／ビットデインタリーブ処理を行ったが、ビットインタリーブ処理／ビットデインタリーブ処理に代えて、又はビットインタリーブ処理／ビットデインタリーブ処理に加えてシンボルインタリーブ処理／シンボルデインタリーブ処理を行ってもよい。送信側では、シンボルインタリーブ部は変調部１６、２６の後段に接続され、受信側では、シンボルデインタリーブ部は復調部３４、５２の前段に接続されることがある。
【００４８】
さらに、符号化処理と復号処理は必須ではなく、これらが省略される装置もあり得る。すなわち、送信装置において、上位階層ビット列が符号化されずにインタリーブ部１４に供給され、下位階層ビット列が符号化されずにインタリーブ部２４に供給されてもよい。この場合、受信装置において、デインタリーブ部３６から上位階層ビット列（推定ビット列）が出力され、上位階層ビット列（推定ビット列）が符号化されずにインタリーブ部４６に供給され、デインタリーブ部５６から下位階層ビット列（推定ビット列）が出力される。
【００４９】
［下位階層の信号処理の遅延対策］
上述したように、ＳＩＣ方式の受信装置では、先ず上位階層成分を復調し、合成受信信号から上位階層成分を減算した結果である下位階層成分を復調する。そのため、下位階層成分の復調に遅延が生じる。第１実施形態ではいくつかの手段により下位階層成分の復調に要する時間を短縮することできる。
【００５０】
第１の手段は、上述したように、送信装置において、上位階層の符号化部１２の符号化方式として、上位階層の復調処理が簡便となる、すなわち上位階層の復調に必要な時間が短くなるような符号化方式を選ぶことである。これにより、受信装置において、上位階層成分の復調に要する時間が短縮されるので、下位階層成分の復調に遅延が生じにくい。
【００５１】
第２の手段は、上述したように、受信装置において、上位階層の復調部３４がＬＬＲを計算する際の第１量子化ビット数を上位階層の信号処理に要求されるＳ／Ｎ比から決まる量子化ビット数より小さく設定することである。これによっても、上位階層成分の復調に要する時間が短縮されるので、下位階層成分の復調に遅延が生じにくい。
【００５２】
第３の手段は、上述したように、受信装置において、上位階層の復調部３４がＬＬＲを計算する際の第１量子化ビット数を下位階層の復調部５２がＬＬＲを計算する際の第２量子化ビット数より小さくすることである。これによっても、上位階層成分の復調に要する時間が短縮されるので、下位階層成分の復調に遅延が生じにくい。
【００５３】
第４の手段は、上述したように、受信装置において、上位階層の復号部３８が繰り返し復号処理を行う際の第１繰り返し回数を送信装置の符号化方式により決まる目標回数より小さく設定することである。これによっても、上位階層成分の復調に要する時間が短縮されるので、下位階層成分の復調に遅延が生じにくい。なお、第１繰り返し回数を少数としたことにより、下位階層の復調ができない場合、第１繰り返し回数を増加して、上位階層の復号が確実にでき、従って下位階層の復号も確実にできるようにしてもよい。
【００５４】
第５の手段は、第２、第３手段の変形例に関するものである。第２、第３手段は上位階層の処理を簡略化することより、上位階層の処理時間を短縮させるものである。上位階層の処理の簡略化により、下位階層の復調ができない可能性がある。「復調ができない」という判定の基準は送信装置、受信装置からなる送受信システムの仕様により定められている。そのような場合、第４実施形態は上位階層の処理の簡略化を中止し、通常の処理に戻す。通常の処理に戻すことは、コントローラ６２により、上位階層の復調部３４のＬＬＲ計算時の第１量子化ビット数を大きくすることや、上位階層の復号部３８の繰り返し復号処理の第１繰り返し回数を目標回数に戻すことを含んでも良い。さらには、上位階層の処理の簡略化により、下位階層の復調が困難になった場合、下位階層の復調を中止してもよい。下位階層の復調を中止する場合、コントローラ６２はスイッチ６４、６６を非導通してもよい。あるいは、コントローラ６２は無駄な消費電力を抑えるために、下位階層の処理に係る部分（符号化部４４から信号減算部４２を経由して復号部５８までの部分）の動作を停止させてもよい。
【００５５】
第６の手段は、送信される変調信号のシンボル数Ｓを所定の関係に設定することにより、受信装置において上位階層の再符号化、再インタリーブ、再変調に係る時間を短縮させることである。メモリ４０，５４に必要とされる容量は変調信号のシンボル数に関係があるので、第１実施形態では式１で定義されるシンボル数Ｓを変調信号のパラメータとして使用する。
【００５６】
Ｓ＝Ｎ／ｌｏｇ２Ｍ            式１
Ｎはインタリーブ長と符号長のいずれか大きい方であり、Ｍは変調多値数である。ＮとＭは上位階層、下位階層毎の値であるので、上位階層の変調信号のシンボル数ＳＵＬは式２で表される。
【００５７】
ＳＵＬ＝ＮＵＬ／ｌｏｇ２ＭＵＬ              式２
ＮＵＬは上位階層のインタリーブ長ＮＵＬＩＮＴと符号長ＮＵＬＦＥＣのいずれか大きい方である。
【００５８】
同様に、下位階層の変調信号のシンボル数ＳＬＬは式３で表される。
【００５９】
ＳＬＬ＝ＮＬＬ／ｌｏｇ２ＭＬＬ              式３
ＮＬＬは下位階層のインタリーブ長ＮＬＬＩＮＴと符号長ＮＬＬＦＥＣのいずれか大きい方である。
【００６０】
上述したように、装置によっては、インタリーブ／デインタリーブ処理又は符号化／復号処理の一方が省略される場合がある。この場合、シンボル数Ｓは式２、式３の代わりに式４、式５で表される。
【００６１】
ＳＵＬ＝ＮＵＬＩＮＴ（又はＮＵＬＦＥＣ）／ｌｏｇ２ＭＵＬ        式４
ＳＬＬ＝ＮＬＬＩＮＴ（又はＮＬＬＦＥＣ）／ｌｏｇ２ＭＬＬ        式５
上位階層のシンボル数ＳＵＬと下位階層のシンボル数ＳＬＬとメモリ４０の容量とメモリ５４の容量の関係を説明する。
【００６２】
図３は、上位階層のシンボル数ＳＵＬと下位階層のシンボル数ＳＬＬを等しく設定した場合（ケース１）のメモリ４０、５４に必要な容量を模式的に示す。図３は、例えばＳＵＬ＝ＳＬＬ＝８０の場合を示す。
【００６３】
ケース１に限らず後述するケースも含めてどのケースでも同じであるが、メモリ４０は、上位階層の復調及び再変調の処理に係る時間だけ合成受信信号を保持する必要がある。そのため、メモリ４０に必要な容量は、上位階層のシンボル数ＳＵＬ（＝８０）に応じている。
【００６４】
変調部４８が再変調後の８０シンボルの上位階層の信号を信号減算部４２に供給すると信号減算部４２は８０シンボルの下位階層の信号を復調部５２に供給する。復調部５２は８０シンボルの下位階層の信号成分から算出したＬＬＲのビット列を出力する。復調部５２から出力された８０シンボルの下位階層の信号成分から算出したＬＬＲのビット列がメモリ５４に書き込まれる。
【００６５】
デインタリーブ部５６と復号部５８による下位階層の復調処理を開始するために必要なＬＬＲのビット列は、シンボル数ＳＬＬ（＝８０）の下位階層の信号成分から算出したＬＬＲのビット列である。そのため、復調部５２が８０シンボルの下位階層の信号成分から算出したＬＬＲのビット列を出力すると、デインタリーブ部５６により下位階層のデインタリーブ処理が開始される。メモリ５４の容量は８０シンボルの下位階層の信号成分から算出したＬＬＲのビット列を記憶する容量でよい。
【００６６】
１シンボルの受信信号と１シンボルの受信信号から算出したＬＬＲのデータサイズは同じではなく、生データである受信信号の方がＬＬＲよりサイズが大きいが、図３では、便宜的にメモリ４０とメモリ５４のブロックの大きさ（大きさは容量を示す）はシンボルの数により表され、等しいサイズとして表されている。しかし、シンボルとＬＬＲのサイズが異なると、メモリ４０とメモリ５４の容量は異なる。メモリ４０、５４の容量は、受信信号の量子化ビット数と、ＬＬＲの量子化ビット数により定まる。
【００６７】
ケース１のようにＳＵＬ＝ＳＬＬと設定すれば、ＳＵＬシンボルの合成受信信号の１回の受信毎に、上位階層の信号の復調と１つ前の回に受信したＳＵＬシンボルの合成受信信号の中の下位階層の信号の復調が同時に行われるので、メモリ４０の容量はＳＵＬシンボルの合成受信信号を記憶する容量、メモリ５４の容量はＳＵＬシンボルの合成受信信号の中の下位階層の復調信号から算出したＬＬＲを記憶する容量となる。また、信号減算部４２により得られる下位階層の復調信号のＬＬＲのビット列は、デインタリーブ部５６と復号部５８による下位階層の復調処理を開始するために必要なＬＬＲのビット列と一致するので、求めたＬＬＲが過不足なく下位階層の復調処理に供され、処理に無駄や待ち時間が生じることが無い。
【００６８】
図４は、上位階層のシンボル数ＳＵＬの自然数倍と下位階層のシンボル数ＳＬＬを等しく設定した場合（ケース２）のメモリ４０、５４に必要な容量を模式的に示す。図４は、例えばＡ×ＳＵＬ＝ＳＬＬ、Ａ＝２、ＳＵＬ＝４０、ＳＬＬ＝８０の場合を示す。
【００６９】
メモリ４０に必要な容量は、上位階層のシンボル数ＳＵＬ（＝４０）に応じている。そのため、ケース１の場合の８０シンボルに応じる容量に比べて１／Ａ（＝１／２）に減少する。
【００７０】
変調部４８が再変調後の４０シンボルの上位階層の信号を信号減算部４２に供給すると、信号減算部４２は４０シンボルの下位階層の信号を復調部５２に供給する。復調部５２は４０シンボルの下位階層の信号成分から算出したＬＬＲのビット列を出力する。復調部５２から出力された４０シンボルの下位階層の信号成分から算出したＬＬＲのビット列がメモリ５４に書き込まれる。
【００７１】
デインタリーブ部５６と復号部５８による下位階層の復調処理を開始するために必要なＬＬＲのビット列は、下位階層のシンボル数ＳＬＬ（＝８０）の受信信号から算出したＬＬＲのビット列であるため、復調部５２が４０シンボルの下位階層の信号成分から算出したＬＬＲのビット列を出力しても、デインタリーブ部５６は下位階層のデインタリーブ処理を開始できない。復調部５２が次の４０シンボルの下位階層の信号成分から算出したＬＬＲのビット列を出力すると、デインタリーブ部５６は下位階層のデインタリーブ処理を開始する。このため、メモリ５４に必要な容量は２つの４０シンボル、すなわち８０シンボルの下位階層の信号成分から算出したＬＬＲのビット列を記憶する容量である。
【００７２】
ケース２のようにＡ×ＳＵＬ＝ＳＬＬと設定すれば、ＳＵＬシンボルの合成受信信号の１回の受信毎に、上位階層の信号の復調が行われ、ＳＵＬシンボルの合成受信信号の２回の受信毎に、１つ前の回及び２つ前の回に受信したＳＵＬシンボルの合成受信信号の中の下位階層の信号の復調が行われるので、メモリ４０の容量はシンボル数ＳＵＬの合成受信信号を記憶する容量、メモリ５４の容量はシンボル数ＳＬＬの合成受信信号の中の下位階層の復調信号から算出したＬＬＲを記憶する容量となる。
【００７３】
ケース１の場合に比べて、メモリ５４の容量は変わらないが、メモリ４０に必要な容量が減少される。メモリ４０が保持する合成受信信号は生データであるので、１シンボルのサイズが１つのＬＬＲのサイズより大きいので、メモリ４０の容量が減少することは効果が大きい。さらに、ケース１の場合と同様に、２回のＳＵＬシンボルの受信時に信号減算部４２により得られる下位階層の復調信号のＬＬＲのビット列は、デインタリーブ部５６と復号部５８による下位階層の復調処理を開始するために必要なＬＬＲのビット列と一致するので、求めたＬＬＲが過不足なく下位階層の復調処理に供され、処理に無駄や待ち時間が生じることが無い。
【００７４】
図５は、参考例として、上位階層のシンボル数ＳＵＬを下位階層のシンボル数ＳＬＬより大きく設定した場合（ケース３）のメモリ４０、５４に必要な容量を模式的に示す。図５は、例えば、ＳＵＬ＞ＳＬＬ、ＳＵＬ＝１００、ＳＬＬ＝８０の場合を示す。
【００７５】
メモリ４０に必要な容量は、上位階層のシンボル数ＳＵＬ（＝１００）に応じている。そのため、ケース１の場合の１００シンボルに応じる容量に比べて増加する。
【００７６】
変調部４８が１回目の１００シンボルの上位階層の信号を信号減算部４２に供給すると、信号減算部４２は１００シンボルの下位階層の信号を復調部５２に供給する。復調部５２は１００シンボルの下位階層の信号成分から算出したＬＬＲのビット列を出力する。復調部５２から出力された１００シンボルの下位階層の信号成分から算出したＬＬＲのビット列がメモリ５４に書き込まれ、保持される。
【００７７】
デインタリーブ部５６と復号部５８による下位階層の復調処理を開始するために必要なＬＬＲのビット列は、シンボル数ＳＬＬ（＝８０）の下位階層の信号成分から算出したＬＬＲのビット列であるため、デインタリーブ部５６は、メモリ５４に保持された１００シンボルの下位階層の信号成分から算出したＬＬＲのビット列の中の最初の８０シンボルの下位階層の信号成分から算出したＬＬＲのビット列に対してデインタリーブ処理を実施する。
【００７８】
復調部５２から出力された１００シンボルの下位階層の信号成分から算出したＬＬＲのビット列のうちデインタリーブ処理に使われなかった２０シンボルの下位階層の信号成分から算出したＬＬＲのビット列は「余り」となる。この「余り」は、次回のデインタリーブ処理に使われるので、変調部４８が２回目の１００シンボルの上位階層のビット列を信号減算部４２に供給するまで、メモリ５４に保持されなければならない。
【００７９】
そのため、２回目の１００シンボルの上位階層の信号を受信する際、メモリ５４が必要とする容量は、１２０（＝２０＋１００）シンボルの下位階層の信号成分から算出したＬＬＲのビット列の容量に増える。
【００８０】
同様に、復調部５２から出力された２回目の１００シンボルの下位階層の信号成分から算出したＬＬＲのビット列のうち最初の６０シンボルの下位階層の信号成分から算出したＬＬＲのビット列および「余り」がデインタリーブ処理に使われ、後の４０シンボルの下位階層の信号成分から算出したＬＬＲのビット列はデインタリーブ処理に使われず、「余り」となる。このように毎回の１００シンボルの上位階層の受信毎に下位階層の信号成分から
「余り」が増加するので、
この余りのＬＬＲのビット列は、変調部４８がさらに次の１００シンボルの上位階層のビット列を信号減算部４２に供給するまで、保持しておかなければならない。そのため、メモリ５４が必要とする容量は、１４０（＝４０＋１００）シンボルの下位階層の信号成分から算出したＬＬＲのビット列の容量に増加する。以下、同様に、メモリ５４が必要とする容量は、１６０シンボルの下位階層の信号成分から算出したＬＬＲのビット列の容量に増加する。なお、メモリ５４が必要とする容量は、１６０シンボルの下位階層の信号成分から算出したＬＬＲのビット列の容量まで増加すると、余りが無くなり、８０シンボルの下位階層の信号成分から算出したＬＬＲのビット列の容量に戻る。
【００８１】
ケース３のようにＳＵＬ＞ＳＬＬと設定すれば、メモリ４０が必要とする容量及びメモリ５４が必要とする容量はケース１の場合に比べて増加する。
【００８２】
図６は、上位階層のシンボル数ＳＵＬを下位階層のシンボル数ＳＬＬより小さく設定した場合（ケース４）のメモリ４０、５４に必要な容量を模式的に示す。図６は、例えばＳＵＬ＜ＳＬＬ、ＳＵＬ＝６０、ＳＬＬ＝８０の場合を示す。
【００８３】
メモリ４０は、上位階層のシンボル数ＳＵＬ分の合成受信信号を保持する容量が必要である。そのため、メモリ４０に必要な容量は６０シンボルに対応する容量である。ケース１に比べて、メモリ４０に必要な容量は減少する。
【００８４】
変調部４８が１回目の６０シンボルの上位階層の信号を信号減算部４２に供給すると、信号減算部４２は６０シンボルの下位階層の信号を復調部５２に供給する。復調部５２は６０シンボルの下位階層の信号成分から算出したＬＬＲのビット列を出力する。復調部５２から出力された６０シンボルの下位階層の信号成分から算出したＬＬＲのビット列がメモリ５４に書き込まれる。
【００８５】
デインタリーブ部５６と復号部５８による下位階層の復調処理を開始するために必要なＬＬＲのビット列は、下位階層のシンボル数ＳＬＬ（＝８０）の受信信号から算出したＬＬＲのビット列であるため、復調部５２が１回目の６０シンボルの下位階層の信号成分から算出したＬＬＲのビット列を出力しても、デインタリーブ部５６は下位階層のデインタリーブ処理を開始できない。復調部５２が２回目の６０シンボルの下位階層の信号成分から算出したＬＬＲのビット列を出力すると、デインタリーブ部５６は下位階層のデインタリーブ処理を開始できる。このため、メモリ５４に必要な容量は２回の６０シンボル、すなわち１２０シンボルの下位階層の信号成分から算出したＬＬＲのビット列を記憶する容量である。
【００８６】
デインタリーブ部５６はメモリ５４に保持されている１２０シンボルの下位階層の信号成分から算出したＬＬＲのビット列の中の最初の８０シンボルの下位階層の信号成分から算出したＬＬＲのビット列に対してデインタリーブ処理を実施する。
【００８７】
復調部５２から出力された１２０シンボルの下位階層の信号成分から算出したＬＬＲのビット列のうちデインタリーブ処理に使われなかった４０シンボルの下位階層の信号成分から算出したＬＬＲのビット列は「余り」となる。この「余り」は、次回のデインタリーブ処理に使われる。
【００８８】
そのため、３回目の６０シンボルの上位階層の信号を受信する際、メモリ５４が必要とする容量は、１００（＝４０＋６０）シンボルの下位階層の信号成分から算出したＬＬＲのビット列の容量に減る。以下、同様に、メモリ５４が必要とする容量は、８０、１２０、１００シンボルの下位階層の信号成分から算出したＬＬＲのビット列の容量に変化する。
【００８９】
ケース４のようにＳＵＬ＜ＳＬＬと設定すれば、ケース１に比べてメモリ５４の容量は増加するが、メモリ４０に必要な容量が減少される。メモリ４０が保持する合成受信信号は生データであるので、１シンボルのサイズが１つのＬＬＲのサイズより大きいので、メモリ５４の容量が増えることはあまり問題にならず、メモリ４０の容量が減少することは効果が大きい。
【００９０】
実施形態による送信装置では、シンボル数ＳＵＬ、ＳＬＬの関係が図３、図４又は図６に示すように設定される。これにより、メモリ４０、５４に必要とされる容量が図５に示す場合に比べて削減できる。なお、シンボル数ＳＵＬ、ＳＬＬを直接調整することはできないので、実際には、符号化部１２の符号長ＮＵＬＦＥＣ、符号化部２２の符号長ＮＬＬＦＥＣ、インタリーブ部１４のインタリーブ長ＮＵＬＩＮＴ、インタリーブ部２４のインタリーブ長ＮＬＬＩＮＴ、変調部１６の変調多値数ＭＵＬ、変調部２６の変調多値数ＭＬＬ等のパラメータを調整することにより、シンボル数ＳＵＬ、ＳＬＬの関係を調整する。なお、受信装置においても、送信装置と同様なシンボル数ＳＵＬ、ＳＬＬの関係となるように、各種のパラメータが調整される。
【００９１】
第１〜第５の手段は適宜組み合わせて実施してよい。
【００９２】
上述の実施形態は、インタリーブ長をＮＵＬＩＮＴ、ＮＬＬＩＮＴと定義していたが、インタリーブがビット単位で行われる場合には、そのインタリーブサイズ（ビット単位）がインタリーブ長ＮＵＬＩＮＴ、ＮＬＬＩＮＴとなる。一方で、インタリーブがシンボル単位で行われる場合には、そのインタリーブサイズ（シンボル単位）にＬｏｇ２ＭＵＬやＬｏｇ２ＭLＬを乗算することでビット単位のインタリーブ長に変換することができ、この変換後のビット単位のインタリーブ長がＮＵＬＩＮＴ、ＮＬＬＩＮＴとなる。
【００９３】
上述の実施形態はテレビジョン放送システムに適用される送信装置と受信装置を例にとり説明したが、実施形態の送信装置と受信装置は他のシステムに適用することも可能である。例えば、第五世代移動通信システム（５Ｇ：5th Generation Mobile Communication）にて採用が検討されている非直交多元接続（ＮＯＭＡ：Non-orthogonal Multiple Access）方式がある。この方式では、異なる信号に電力差が付けられ、同周波数帯で同時刻に送信される。ＮＯＭＡ方式の復調方法の１つとしてＳＩＣ方式の利用が検討されている。そのため、ＮＯＭＡ方式は基本的にＬＤＭ方式と同じである。実施形態の送信装置と受信装置はＮＯＭＡ方式に適用可能である。
【００９４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９５】
１２、２２…符号化部、１４、２４…インタリーブ部、１６…変調部、２６…復調部、３４、５２…復調部、３６、５６…デインタリーブ部、３８、５８…復号部、４０、５４…メモリ。
【図１】
2020202457.tif 000003
【図２】
2020202457.tif 000004
【図３】
2020202457.tif 000005
【図４】
2020202457.tif 000006
【図５】
2020202457.tif 000007
【図６】
2020202457.tif 000008